(57)【特許請求の範囲】
【請求項１】
複数の配電線とネットワーク母線を各配電線ごとに、一次開閉器と変圧器とプロテクタ遮断器を有するネットワーク回線により接続し、前記変圧器は単相三線変圧器と単相二線変圧器をＶ結線に接続して二次側に三相電圧相と接地相を構成し、前記ネットワーク回線にはネットワーク継電器を接続し、前記ネットワーク継電器の逆電力検出機能が前記電圧相に流れる電流を合成することにより逆電力を判別して制御信号を出力し、前記プロテクタ遮断器を開放するＶ結線スポットネットワーク受電設備において、
前記単相三線変圧器の電圧相には、前記単相三線変圧器と前記プロテクタ遮断器の間に、同一鉄心上に二次巻線と三次巻線を備えた三次巻線付ネットワーク変流器を設置し、前記単相二線変圧器の電圧相のうち、前記単相三線変圧器と相を共有しない電圧相には、二次巻線を備えたネットワーク変流器を設置し、前記三次巻線付ネットワーク変流器二台の三次巻線は直列に接続して三次回路を構成し、前記三次巻線付ネットワーク変流器二台と前記ネットワーク変流器一台の合計三台の二次巻線は前記ネットワーク継電器を介して残留回路を接続しない星形結線に接続して二次回路を構成することにより、前記三次回路は電圧相の電流のうち前記単相三線変圧器の接地相から前記変圧器巻線を通って電圧相へ二分の一ずつ均等に分流する平衡化電流を変流し、前記二次回路は電圧相の電流のうち前記平衡化電流を除いた電流を変流することを特徴とするＶ結線スポットネットワーク受電設備。
【発明の詳細な説明】
【０００１】
【発明の属する技術分野】
本発明は、ビルディング用電気負荷等に電力を供給するＶ結線スポットネットワーク受電設備に関するもので、特に、ネットワーク回線に設置されるネットワーク変流器の結線に関する。
【０００２】
【従来の技術】
図２，図３，図４は従来のＶ結線スポットネットワーク受電設備の一例を示すもので、図２は主回路構成と通常受電時における主回路電流分布図、図３は主回路構成と配電線停止時における主回路電流分布図、図４（Ａ）は配電線停止時における各種電流ベクトルの関係、（Ｂ）は配電線停止時における電圧相Ｒ相電流ベクトルとネットワーク継電器の逆電力検出特性との関係、（Ｃ）は配電線停止時における電圧相Ｓ相電流ベクトルとネットワーク継電器の逆電力検出特性との関係、（Ｄ）は配電線停止時における電圧相Ｔ相電流ベクトルとネットワーク継電器の逆電力検出特性との関係をそれぞれ示している。
【０００３】
図２に示すように、Ｖ結線スポットネットワーク受電設備では、２系統の配電線１ａ，１ｂはそれぞれ配電線遮断器２ａ，２ｂを介して商用電源３に接続されている。配電線１ａ，１ｂは所定位置でネットワーク回線４ａ，４ｂに分岐し、ネットワーク母線５に接続している。ネットワーク回線４ａは、配電線１ａとネットワーク母線５との間に直列に挿入された一次開閉器６ａと、単相三線変圧器７ａと、単相二線変圧器８ａと、ネットワーク変流器９ａＲ，９ａＳ，９ａＴと、プロテクタ遮断器１０ａとを備えている。ここでは、単相三線変圧器７ａと単相二線変圧器８ａをＶ結線に接続することにより三相主回路を構成している。また、三相電圧の相回転については、単相三線変圧器７ａの電圧相をＲ相とＳ相とし、単相二線変圧器８ａの電圧相をＳ相とＴ相とすると、Ｒ相→Ｓ相→Ｔ相→Ｒ相である。
【０００４】
ネットワーク母線５には、Ｒ相と接地相の間およびＳ相と接地相の間にそれぞれ単相負荷１３，１４が接続され、三相電圧相には三相負荷１５が接続される。また、ネットワーク変流器９ａＲ，９ａＳ，９ａＴは二次巻線を備えており、これら三台の二次巻線はネットワーク継電器１１ａを介して残留回路１２を備えた星形結線に接続される。ネットワーク変流器９ａＲ，９ａＳ，９ａＴは、図４（Ｂ），（Ｃ），（Ｄ）で後述するように、電圧相の電流ベクトルの大きさをネットワーク継電器１１ａに入力できる大きさに変換する。ネットワーク継電器１１ａは常に変圧器二次の三相主回路の相電圧と電流を監視しており、ネットワーク継電器１１ａが備えている逆電力検出機能は三相の電流を合成することにより逆電力を判定して制御信号を出力する。この制御信号に基づいてプロテクタ遮断器１０ａを開放し、ネットワーク回線４ａとネットワーク母線５を切り離す。上記のネットワーク回線４ａの機器構成と制御方法は、ネットワーク回線４ｂについても同様である。なお、配電線１ａ，１ｂ上には、上記と同様のＶ結線スポットネットワーク受電設備が複数接続されている。
【０００５】
Ｖ結線スポットネットワーク受電設備の通常の運転状態では、一次開閉器６ａ，６ｂとプロテクタ遮断器１０ａ，１０ｂは投入状態であり、ネットワーク回線４ａ，４ｂの並列受電を行う。ネットワーク回線４ａ，４ｂの変圧器のうち、単相三線変圧器７ａ，７ｂは単相負荷１３，１４と三相負荷１５の両方に使用され、単相二線変圧器８ａ，８ｂは三相負荷１５専用に使用される。したがって、ネットワーク回線４ａにおいて、ネットワーク変流器９ａＲに流れるＲ相電流ベクトルＩＲは、単相負荷１３の電流ベクトルＩＲ１と三相負荷１５の電流ベクトルＩＲ３の合成になる。また、ネットワーク変流器９ａＳに流れるＳ相電流ベクトルＩＳは、単相負荷１４の電流ベクトルＩＳ１と三相負荷１５の電流ベクトルＩＳ３の合成になる。また、ネットワーク変流器９ａＴに流れるＴ相電流ベクトルＩＴは、三相負荷１５の電流ベクトルＩ３Ｔだけである。
【０００６】
これとは別に、単相負荷１３の電流ベクトルＩＲ１と単相負荷１４の電流ベクトルＩＳ１の大きさや位相の状況によっては、Ｒ相接地相線間電圧とＳ相接地相線間電圧には電位差が発生する。この電位差を補正するために単相三線変圧器７ａ，７ｂの巻線はバランサとして働くので、バランサの効果により接地相にはこの電位差を補正する平衡化電流ベクトルΔＩが流れる。平衡化電流ベクトルΔＩは接地相から単相三線変圧器７ａ，７ｂの巻線を通ってＲ相とＳ相に二分の一ずつ均等に分流する。平衡化電流ベクトルΔＩは次の式で表すことができる。
【０００７】
【数１】
0003663624.tif 000002
【０００８】
この平衡化電流ベクトルΔＩは上記Ｒ相電流ベクトルＩＲやＳ相電流ベクトルＩＳの一成分であるので、Ｒ相電流ベクトルＩＲは平衡化電流ベクトルΔＩを用いると、次の式で表すことができる。
【０００９】
【数２】
0003663624.tif 000003
【００１０】
同様に、Ｓ相電流ベクトルＩＳは次の式で表すことができる。
【００１１】
【数３】
0003663624.tif 000004
【００１２】
また、Ｔ相電流ベクトルＩＴには、平衡化電流ベクトルΔＩは流れないので、次の式で表すことができる。
【００１３】
【数４】
0003663624.tif 000005
【００１４】
上記の通常受電時では、ネットワーク回線４ａ，４ｂから単相負荷１３，１４と三相負荷１５に電力を供給しており、このときの電流を合成すると電力は順方向（配電線１ａ，１ｂからネットワーク母線５に向けての電力供給）であるので、ネットワーク継電器１１ａ，１１ｂの逆電力検出機能は動作せず、ネットワーク回線４ａ，４ｂの並列受電が継続する。
【００１５】
次に、図３において、配電線１ａの点検等のために配電線遮断器２ａを開放して配電線１ａの送電を停止したときには、ネットワーク回線４ａは負荷に電力の供給を停止し、受電継続中のネットワーク回線４ｂがすべての負荷に電力を供給する。このとき、ネットワーク回線４ａや配電線１ａはネットワーク母線５の電圧によって充電される。
【００１６】
一方、上記配電線停止時における配電線１ａ上の複数のＶ結線スポットネットワーク受電設備については、各受電設備の負荷の状況や主回路インピーダンスによってネットワーク回線に逆電力が発生する受電設備とそうでない受電設備に分かれる。逆電力が発生する受電設備は、ネットワーク継電器の逆電力検出機能が動作してプロテクタ遮断器が開放され、ネットワーク回線が停電になる。その後、逆電力が発生しなかった受電設備の間で、負荷や主回路インピーダンスによって新たに逆電力が発生する受電設備が現れ、上記と同様にネットワーク回線が停電になる。これを繰り返すことにより、最終的には一つの受電設備が配電線上に残るが、配電線停止時には最後に残った受電設備もネットワーク継電器の逆電力検出機能により、プロテクタ遮断器を開放せねばならない。
【００１７】
配電線停止時に最後に残った受電設備のネットワーク回線４ａに流れる電流は、平衡化電流ベクトルΔＩ以外に、単相三線変圧器７ａの逆励磁電流ベクトルＩＲＳや単相二線変圧器８ａの逆励磁電流ベクトルＩＳＴや配電線１ａの充電電流ベクトルＩＲＣ，ＩＳＣ，ＩＴＣである。また、平衡化電流ベクトルΔＩについては、単相三線変圧器７ａの巻線だけがバランサとして働くので、すべて単相三線変圧器７ａの巻線に流れる。この状況では、別の受電設備の負荷状況や主回路インピーダンスは無関係であり、かつ、逆電力の要素となる変圧器逆励磁電流や配電線充電電流は負荷電流による逆電力に比べて微小であるため、ネットワーク継電器１１ａの逆電力検出機能の動作にとっては最も厳しい状況である。このときネットワーク変流器９ａＲに流れるＲ相電流ベクトルＩａＲは、平衡化電流ベクトルΔＩと単相三線変圧器７ａの逆励磁電流ベクトルＩＲＳと配電線１ａのＲ相配電線充電電流ベクトルＩＲＣの合成となる。Ｒ相電流ベクトルＩａＲは次の式で表すことができる。
【００１８】
【数５】
0003663624.tif 000006
【００１９】
また、ネットワーク変流器９ａＳに流れるＳ相電流ベクトルＩａＳは、平衡化電流ベクトルΔＩと単相三線変圧器７ａの逆励磁電流ベクトルＩＲＳと単相二線変圧器８ａの逆励磁電流ベクトルＩＳＴと配電線１ａのＳ相配電線充電電流ベクトルＩＳＣの合成となる。電流ベクトルＩａＳは次の式で表すことができる。
【００２０】
【数６】
0003663624.tif 000007
【００２１】
また、ネットワーク変流器９ａＴに流れるＴ相電流ベクトルＩａＴは、単相二線変圧器８ａの逆励磁電流ベクトルＩＳＴと配電線１ａのＴ相配電線充電電流ベクトルＩＴＣの合成となる。電流ベクトルＩａＴは次の式で表すことができる。
【００２２】
【数７】
0003663624.tif 000008
【００２３】
次に、図４（Ａ）に示すように、Ｒ相電圧ベクトルＶＲとＳ相電圧ベクトルＶＳとＴ相電圧ベクトルＶＴの位相の関係は、Ｒ相電圧ベクトルＶＲを基準にそれぞれ１２０度ずつ遅れている。配電線１ａの停止時には、ネットワーク回線４ａのＲ相配電線充電電流ベクトルＩＲＣの位相は、Ｒ相電圧ベクトルＶＲを基準に９０度遅れている。Ｓ相配電線充電電流ベクトルＩＳＣとＴ相配電線充電電流ベクトルＩＴＣも同様に各相電圧ベクトルを基準に９０度遅れている。また、単相三線変圧器逆励磁電流ベクトルＩＲＳの位相は変圧器の励磁インピーダンスによって決まり、一般的にはＲ相電圧ベクトルＶＲを基準に１５０度から１６５度進んでいる。単相二線変圧器逆励磁電流ベクトルＩＳＴの位相も同様の理由によりＳ相電圧ベクトルＶＳを基準に１５０度から１６５度進んでいる。また、平衡化電流ベクトルΔＩは図４（Ａ）ではＲ相電圧ベクトルＶＲを基準に４５度遅れた状態で表されているが、実際には数１式から判るように、単相負荷１３の電流ベクトルと単相負荷１４の電流ベクトルの状況によって、さまざまな大きさと位相になり得ることが特徴である。
【００２４】
また、図４（Ｂ）に示すように、ネットワーク継電器１１ａのＲ相逆電力検出機能はＲ相逆電力検出特性４１を備えている。Ｒ相逆電力検出特性４１は、Ｒ相電圧ベクトルＶＲを基準に進み方向へ最高感度角４２の固定された傾きを持つ最高感度直線４３と直交する直線で表され、その位置はＲ相最高感度直線４３上を原点から検出感度ベクトル４４の大きさだけ平行移動した位置に配置される。最高感度角４２は通常１度から５度の範囲で固定される。数５式の電流ベクトルの関係については、Ｒ相電流ベクトルＩａＲは、平衡化電流ベクトルΔＩと単相三線変圧器逆励磁電流ベクトルＩＲＳとＲ相配電線充電電流ベクトルＩＲＣの合成で表される。Ｒ相電流ベクトルＩａＲの成分のうちＲ相逆電力検出機能動作成分３２は最高感度直線４３および検出感度ベクトル４４に平行なベクトルである。
【００２５】
また、図４（Ｃ）に示すように、ネットワーク継電器１１ａのＳ相逆電力検出機能はＳ相逆電力検出特性５１を備えている。Ｓ相逆電力検出特性５１は、Ｓ相電圧ベクトルＶＳを基準に進み方向へ最高感度角４２の固定された傾きを持つＳ相最高感度直線５３と直交する直線で表され、その位置はＳ相最高感度直線５３上を原点から検出感度ベクトル４４の大きさだけ平行移動した位置に配置される。数６式の電流ベクトルの関係については、Ｓ相電流ベクトルＩａＳは、平衡化電流ベクトルΔＩと単相三線変圧器逆励磁電流ベクトルＩＲＳと単相二線変圧器逆励磁電流ベクトルＩＳＴとＳ相配電線充電電流ベクトルＩＳＣの合成で表される。Ｓ相電流ベクトルＩａＳの成分のうちＳ相逆電力検出機能動作成分３４はＳ相最高感度直線５３および検出感度ベクトル４４に平行なベクトルである。
【００２６】
また、図４（Ｄ）に示すように、ネットワーク継電器１１ａのＴ相逆電力検出機能はＴ相逆電力検出特性６１を備えている。Ｔ相逆電力検出特性６１は、Ｔ相電圧ベクトルＶＴを基準に進み方向へ最高感度角４２の固定された傾きを持つＴ相最高感度直線６３と直交する直線で表され、その位置はＴ相最高感度直線６３上を原点から検出感度ベクトル４４の大きさだけ平行移動した位置に配置される。数７式の電流ベクトルの関係については、ネットワーク変流器９ａＴに流れるＴ相電流ベクトルＩａＴは、単相二線変圧器逆励磁電流ベクトルＩＳＴとＴ相配電線充電電流ベクトルＩＴＣの合成で表される。Ｔ相電流ベクトルＩａＴの成分のうちＴ相逆電力検出機能動作成分３６はＴ相最高感度直線６３および検出感度ベクトル４４に平行なベクトルである。
【００２７】
ネットワーク継電器１１ａの逆電力検出機能は、Ｒ相逆電力検出機能動作成分３２とＳ相逆電力検出機能動作成分３４とＴ相逆電力検出機能動作成分３６を合成し、その合成ベクトルが検出感度ベクトル４４と同位相で、かつ、その大きさが上回るときに動作し制御信号を出力する。プロテクタ遮断器１０ａはネットワーク継電器１１ａの逆電力検出機能からの制御信号を受けて開放する。上記図３，図４（Ａ），（Ｂ），（Ｃ），（Ｄ）の関係は配電線１ｂの停止の場合も同様である。
【００２８】
【発明が解決しようとする課題】
上記従来のＶ結線スポットネットワーク受電設備では、配電線１ａの停止のために配電線遮断器２ａが開放されたとき、仮に、ネットワーク回線４ａのすべての電圧相の電流ベクトルが単相三線変圧器逆励磁電流ベクトルＩＲＳと単相二線変圧器逆励磁電流ベクトルＩＳＴとＲ相配電線充電電流ベクトルＩＲＣとＳ相配電線充電電流ベクトルＩＳＣとＴ相配電線充電電流ベクトルＩＴＣだけであれば、各電流ベクトルの固定された大きさと位相の関係から、これらの合成によりネットワーク継電器１１ａの逆電力検出機能が動作することは明白である。
【００２９】
しかし実際には、Ｒ相とＳ相には平衡化電流ベクトルΔＩが合成され、平衡化電流ベクトルΔＩは単相負荷１３の電流ベクトルと単相負荷１４の電流ベクトルの状況によってさまざまな大きさと位相になり得ることから、配電線停止時に逆電力検出機能が動作しないことがある。このため、Ｖ結線スポットネットワーク受電設備の運用上、配電線停止時にネットワーク継電器１１ａの逆電力検出機能が確実に動作するよう、平衡化電流ベクトルΔＩの大きさと位相を調整する必要がある。つまり、Ｖ結線スポットネットワーク受電設備に専用の計測機能の付加や、コンデンサなどの調相設備を設置し、常に単相負荷１３の電流ベクトルの大きさと位相および単相負荷１４の電流ベクトルの大きさと位相を調整しながら運用する必要がある。上記の課題は配電線１ｂにおいても同様である。
【００３０】
そこで、本発明は、単相負荷の状況を調整することなく、配電線停止時にはネットワーク継電器の逆電力検出機能が確実に動作し、プロテクタ遮断器を開放することができるＶ結線スポットネットワーク受電設備を提供することを目的とする。
【００３１】
【課題を解決するための手段】
本発明のＶ結線スポットネットワーク受電設備においては、単相三線変圧器とプロテクタ遮断器の間の主回路電圧相Ｒ相とＳ相には、同一鉄心上に二次巻線と三次巻線を実装した三次巻線付ネットワーク変流器を設置し、Ｔ相には二次巻線を実装したネットワーク変流器を設置する。前記三次巻線二台を直列に接続して三次回路を構成し、二次巻線三台をネットワーク継電器を介して残留回路を接続しない星形結線に接続して二次回路を構成する。
【００３２】
上記Ｖ結線スポットネットワーク受電設備においては、各電圧相のネットワーク変流器に流れる電流のうち、平衡化電流だけが三次回路に変流され、平衡化電流を除いた電流が二次回路に変流される。すなわち、配電線停止時のネットワーク継電器への入力は変圧器逆励磁電流と配電線充電電流の合成であり、平衡化電流は無関係であるので、これらの合成による逆電力を逆電力検出機能が確実に検出でき、プロテクタ遮断器を開放することができる。また、単相負荷の大きさや位相を調整する必要は無くなる。
【００３３】
【発明の実施の形態】
図１は本発明のＶ結線スポットネットワーク受電設備の実施の形態の一例を示すもので、（Ａ）は主回路構成と配電線停止時における主回路電流分布図、（Ｂ）は配電線停止時におけるＲ相電流ベクトルとネットワーク継電器の逆電力検出特性との関係、（Ｃ）は配電線停止時におけるＳ相電流ベクトルとネットワーク継電器の逆電力検出特性との関係をそれぞれ示している。
【００３４】
図１（Ａ）において、ネットワーク回線４ａには、同一鉄心上に二次巻線と三次巻線を備えた三次巻線付ネットワーク変流器１６ａＲ，１６ａＳを設置する。三次巻線付ネットワーク変流器１６ａＲ，１６ａＳとネットワーク変流器９ａＴの結線については、二次巻線三台はネットワーク継電器１１ａを介して残留回路を接続しない星形結線に接続して二次回路を構成し、三次巻線二台は直列に接続して三次回路を構成する。上記の構成はネットワーク回線４ｂにおいても同様である。これらの結線により、三次回路が変流できる電流はＲ相とＳ相に流れる電流のうち、位相と大きさがともに等しい電流だけである。平衡化電流ベクトルΔＩのように、接地相から二分の一ずつ均等にＲ相とＳ相に分流し、かつ、これらの大きさと位相は全く同じである電流ベクトルは、三次回路に変流される。
【００３５】
一方、二次回路が変流できる電流は、各相電流から上記の三次回路が変流できる電流を除いた電流である。すなわち、配電線停止時における変圧器逆励磁電流ベクトルや配電線充電電流ベクトルのように、大きさや位相が異なる電流ベクトルは二次回路に変流される。これらを三相合成すると大きさは零になるので、二次回路に残留回路が無くても問題はない。このため、配電線停止時においては、三次巻線付ネットワーク変流器１６ａＲの二次回路が変流する電流ベクトルＩａＲ２は次の式で表すことができる。
【００３６】
【数８】
0003663624.tif 000009
【００３７】
また、三次巻線付ネットワーク変流器１６ａＳの二次回路が変流する電流ベクトルＩａＳ２は次の式で表すことができる。
【００３８】
【数９】
0003663624.tif 000010
【００３９】
したがって、ネットワーク継電器１１ａが逆電力を判定するための電流ベクトルは変圧器逆励磁電流ベクトルと配電線充電電流ベクトルの合成電流ベクトルであり、平衡化電流ベクトルを判定することはない。
【００４０】
図１（Ｂ）において、数８式の関係については、Ｒ相電流ベクトルＩａＲ２は単相三線変圧器逆励磁電流ベクトルＩＲＳとＲ相配電線充電電流ベクトルＩＲＣの合成で表され、平衡化電流は合成されない。Ｒ相電流ベクトルＩａＲ２の成分のうち、ネットワーク継電器１１ａの逆電力検出機能動作判定に使用される成分はＲ相逆電力検出機能動作成分３２である。
【００４１】
図１（Ｃ）において、数９式の関係については、Ｓ相電流ベクトルＩａＳ２は単相三線変圧器逆励磁電流ベクトルＩＲＳと単相二線変圧器逆励磁電流ベクトルＩＳＴとＳ相配電線充電電流ベクトルＩＳＣの合成で表され、平衡化電流は合成されない。Ｓ相電流ベクトルＩａＳ２の成分のうち、ネットワーク継電器１１ａの逆電力検出機能動作判定に使用される成分はＳ相逆電力検出機能動作成分３４である。
【００４２】
ネットワーク継電器１１ａの逆電力検出機能は、各電圧相の逆電力検出機能動作成分を合成し、その合成ベクトルの位相が検出感度ベクトル４４の位相と同位相でかつその大きさが上回るときに動作状態となるが、上記発明のスポットネットワーク受電設備では、三次巻線付ネットワーク変流器１６ａＲ，１６ａＳからネットワーク継電器１１ａへの入力には平衡化電流が含まれないので、配電線停止時には変圧器の逆励磁電流と配電線充電電流の合成による逆電力を確実に検出し、制御信号を出力することは明白である。上記の構成と原理は配電線１ｂについても同様である。
【００４３】
【発明の効果】
本発明のＶ結線スポットネットワーク受電設備によれば、Ｒ相とＳ相のネットワーク変流器の三次回路は平衡化電流だけを変流し、二次回路は平衡化電流を変流することがないので、単相負荷の電流ベクトルがどのような状況であっても配電線停止時にはネットワーク継電器の逆電力検出機能が確実に動作でき、プロテクタ遮断器を開放できる。したがって、単相負荷の状況を監視し調整する設備や労力を削減できる。
【図面の簡単な説明】
【図１】図１は本発明のＶ結線スポットネットワーク受電設備の実施の形態の一例を示すもので、（Ａ）は主回路構成と配電線停止時における主回路電流分布図、（Ｂ）は配電線停止時におけるＲ相電流ベクトルとネットワーク継電器の逆電力検出特性との関係、（Ｃ）は配電線停止時におけるＳ相電流ベクトルとネットワーク継電器の逆電力検出特性との関係をそれぞれ表した図である。
【図２】図２は従来のＶ結線スポットネットワーク受電設備の一例を示すもので、主回路構成と通常受電時における主回路電流分布を表した図である。
【図３】図３は従来のＶ結線スポットネットワーク受電設備の一例を示すもので、主回路構成と配電線停止時における主回路電流分布を表した図である。
【図４】図４は従来のＶ結線スポットネットワーク受電設備の一例を示すもので、（Ａ）は配電線停止時における各種電流ベクトルの関係、（Ｂ）は配電線停止時における電圧相Ｒ相電流ベクトルとネットワーク継電器の逆電力検出特性との関係、（Ｃ）は配電線停止時における電圧相Ｓ相電流ベクトルとネットワーク継電器の逆電力検出特性との関係、（Ｄ）は配電線停止時における電圧相Ｔ相電流ベクトルとネットワーク継電器の逆電力検出特性との関係をそれぞれ表した図である。
【符号の説明】
１ａ，１ｂ      配電線
４ａ，４ｂ      ネットワーク回線
５      ネットワーク母線
７ａ，７ｂ      単相三線変圧器
８ａ，８ｂ      単相二線変圧器
９ａＲ，９ａＳ，９ａＴ，９ｂＲ，９ｂＳ，９ｂＴ      ネットワーク変流器
１０ａ，１０ｂ      プロテクタ遮断器
１１ａ，１１ｂ      ネットワーク継電器
１２ａ，１２ｂ      残留回路
１３      単相負荷
１４      単相負荷
１５      三相負荷
１６ａＲ，１６ａＳ，１６ｂＲ，１６ｂＳ      三次巻線付ネットワーク変流器
３２      Ｒ相逆電力検出機能動作成分
３４      Ｓ相逆電力検出機能動作成分
３６      Ｔ相逆電力検出機能動作成分
４１      Ｒ相逆電力検出特性
４２      最高感度角
４３      Ｒ相最高感度直線
４４      検出感度ベクトル
５１      Ｓ相逆電力検出特性
５３      Ｓ相最高感度直線
６１      Ｔ相逆電力検出特性
６３      Ｔ相最高感度直線
【図１】
0003663624.tif 000011
【図２】
0003663624.tif 000012
【図３】
0003663624.tif 000013
【図４】
0003663624.tif 000014